(57)【要約】      （修正有）【課題】フォトリソグラフィプロセスの間、空隙を介在させることなく、フォトレジスト層に電場及び／または磁場をかけるための装置を提供する。【解決手段】装置には、基板支持体表面を有する基板支持体と、基板支持体に組み込まれ、基板支持体表面上に配置された基板を加熱するように構成された熱源と、基板支持体表面とほぼ垂直な方向に電場を形成するように構成された電極アセンブリ１１８であって、下表面が基板支持体表面に向くように基板支持体表面と対向して配置され、電極アセンブリと基板支持体表面との間の処理容積を規定するように基板支持体から隔たっている電極アセンブリ１１８と、中間媒体を保持するように構成され、基板支持体または電極アセンブリの端部に配置された閉じ込めリングと、を備える処理チャンバが含まれる。【選択図】図３
0003205856.tif 000002
【実用新案登録請求の範囲】
【請求項１】
基板を処理するための装置であって、前記装置は、
基板支持体表面を有する基板支持体と、
前記基板支持体表面とほぼ垂直な方向に電場を形成するように構成された電極アセンブリであって、下表面が前記基板支持体表面に向くように前記基板支持体表面と対向して配置され、前記電極アセンブリと前記基板支持体表面との間に処理容積を規定するように基板支持体から隔たっている電極アセンブリと、
中間媒体を保持するように構成され、前記基板支持体または前記電極アセンブリの端部に配置された閉じ込めリングと、
を備える処理チャンバを備える、装置。
【請求項２】
前記中間媒体が前記処理容積中に配置されるように構成される、請求項１に記載の装置。
【請求項３】
前記処理容積内に配置された前記中間媒体が、基板支持体表面及び前記電極アセンブリの前記下表面のごく近くにある、請求項１に記載の装置。
【請求項４】
前記処理チャンバが、遠隔プラズマ源に連結されている、請求項１に記載の装置。
【請求項５】
前記処理チャンバが、フォトリソグラフィプロセスを実施するように構成された電磁エネルギー源を含む、請求項１に記載の装置。
【請求項６】
前記処理チャンバ内に配置され、前記中間媒体を前記処理容積内に分注するように構成された中間媒体分注器
をさらに備える、請求項１に記載の装置。
【請求項７】
前記中間媒体が脱イオン水である、請求項１に記載の装置。
【請求項８】
前記中間媒体が１０よりも高い誘電率を有する、請求項１に記載の装置。
【請求項９】
前記中間媒体が固体媒体である、請求項１に記載の装置。
【請求項１０】
前記中間媒体が、前記電極アセンブリと前記基板支持体表面との間に規定された前記処理容積に、空隙なくほぼいっぱいに満たされている、請求項１に記載の装置。
【請求項１１】
前記電極アセンブリの前記端部上に配置された前記閉じ込めリングが、前記電極アセンブリが処理位置に作動された場合に前記中間媒体を保持するように構成された、請求項１に記載の装置。
【請求項１２】
基板を処理するための装置であって、前記装置は、
基板支持体表面を有する基板表面と、
前記基板支持体内に配置された第１の電極及び前記基板支持体表面と反対側に配置された第２の電極を備える電極アセンブリであって、前記第１及び第２の電極が、両者の間に処理容積を規定し、前記基板支持体表面とほぼ垂直の方向に電場を形成するように構成された電極アセンブリと、
前記処理容積中に配置された中間媒体と、
を備える処理チャンバを備える、装置。
【請求項１３】
前記中間媒体が脱イオン水、または１０よりも高い誘電率を有する高誘電率材料である、請求項１２に記載の装置。
【請求項１４】
前記基板支持体または前記電極アセンブリの端部上に配置され、前記中間媒体を保持するように構成された閉じ込めリング
をさらに備える、請求項１２に記載の装置。
【考案の詳細な説明】
【技術分野】
【０００１】
本考案は、概して、基板を処理するための方法及び装置に関する。より具体的には、フォトリソグラフィプロセスを改良する方法及び装置に関する。
【背景技術】
【０００２】
集積回路は、単一のチップ上に何百万もの部品（例えばトランジスタ、コンデンサ、及び抵抗）を含み得る、複雑な装置へと進化してきた。チップ上に部品を形成するために、フォトリソグラフィが使用され得る。概して、フォトリソグラフィのプロセスには、幾つかの基礎段階が含まれる。最初に、基板上にフォトレジスト層が形成される。フォトレジスト層は、例えば、スピンコートによって形成され得る。化学的に増幅されたフォトレジストには、レジスト樹脂及び光酸発生剤が含まれ得る。光酸発生剤は、後続する露光の段階で電磁放射に露光されると、現像プロセスにおけるフォトレジストの溶解性を変化させる。電磁放射は、超紫外線領域の波長といった、任意の好適な波長を有し得る。電磁放射は、例えば、１９３ｎｍのＡｒＦレーザ、電子ビーム、イオンビーム、または他の放射源といった、任意の好適な放射源からであり得る。次いで、露光前ベークプロセスにおいて、余剰の溶媒が除去され得る。
【０００３】
露光段階において、基板の特定の領域を選択的に電磁放射に露光させるため、フォトマスクまたはレチクルが使用され得る。他の露光法は、マスクレス露光法であり得る。光への露光によって光酸発生剤は分解され得、それによって酸が生成され、レジスト樹脂内に潜在的な酸の画像がもたらされる。露光の後、基板は、露光後ベークプロセスにおいて加熱され得る。露光後ベークプロセスの間、光酸発生剤によって生成された酸は、レジスト樹脂と反応し、後続の現像プロセスの間にレジストの溶解性を変化させる。
【０００４】
露光後ベークの後、基板、特にフォトレジスト層は、現像されリンスされる。使用されたフォトレジストのタイプに応じて、電磁放射に露光された基板の領域は、除去に対する耐性を有するか、またはより除去され易いかのどちらかであり得る。現像及びリンスの後、マスクのパターンは、ウェットまたはドライのエッチングプロセスを使用して、基板に転写される。
【０００５】
チップの設計の進化によって、絶えず、より高速でより高密度な回路が必要とされる。より高密度の回路への需要によって、集積回路部品の寸法の縮小が必要となる。集積回路部品の寸法が縮小するにつれて、より多くの要素が半導体集積回路上の所与のエリア内に配置されることが求められる。それに応じて、リソグラフィ処理は、さらにより小さな機構を基板上に転写しなければならず、それは、精密に、正確に、かつ損傷なく行われなければならない。機構を精密かつ正確に基板上に転写するために、高解像度リソグラフィは、短波長の放射を提供する光源を使用し得る。短波長は、基板またはウエハ上の最小プリント可能サイズを縮小することに資する。しかし、短波長リソグラフィは、低スループット、ラインエッジラフネスの増大、及び／またはレジスト感度の低下といった問題に悩まされる。
【０００６】
最近の展開では、リソグラフィの露光／現像解像度の向上のため、電磁放射が伝達されるフォトレジスト層の一部分の化学的特性を変化させるように、露光プロセスの前または後に基板上に配置されたフォトレジスト層に電場を形成するのに、電極アセンブリが利用される。しかし、フォトレジスト層の付近に形成された電場の強度の制御が不正確であると、フォトレジスト層に伝達される電場エネルギーが、化学的特性を変化させるには不十分であるという結果になり得る。さらに、基板と電極アセンブリとの間の種々の中間媒体から伝達されることに起因する、この両者間の電圧の望まない低下によってもまた、基板上に配置されたフォトレジスト層に形成される電場の強度は影響され得る。
【０００７】
したがって、フォトレジスト層に形成された電場形成の制御の改良によって、フォトリソグラフィプロセスを改良するための方法及び装置の必要性が存在する。
【考案の概要】
【０００８】
本明細書で開示されているのは、フォトリソグラフィプロセスの間、空隙を介在させることなく、フォトレジスト層に電場及び／または磁場のフィールドをかけるための装置及び方法である。一実施形態においては、装置には、基板支持体表面を有する基板支持体と、基板支持体に組み込まれ、基板支持体表面上に配置された基板を加熱するように構成された熱源と、基板支持体表面とほぼ垂直な方向に電場を形成するように構成された電極アセンブリであって、下表面が基板支持体表面に向くように基板支持体表面と対向して配置され、電極アセンブリと基板支持体表面との間の処理容積を規定するように基板支持体から隔たっている電極アセンブリと、中間媒体を保持するように構成され、基板支持体または電極アセンブリの端部に配置された閉じ込めリングと、を備える処理チャンバが含まれる。
【０００９】
別の一実施形態においては、処理チャンバには、基板支持体表面と、基板支持体内に配置された第１の電極及び基板支持体表面と反対側に配置された第２の電極を備える電極アセンブリであって、第１及び第２の電極が、両者の間に処理容積を規定し、基板支持体表面とほぼ垂直の方向に電場を形成するように構成された電極アセンブリと、処理容積中に配置された中間媒体と、を備える、基板支持体が含まれる。
【００１０】
さらに別の一実施形態においては、基板を処理する方法には、フォトレジスト層内の光酸発生剤から荷電種を生成するために、及び、フォトレジスト層内に、電磁放射に露光されていないフォトレジスト層の一部分とは異なる化学特性を有する物質でほぼ平行な線（複数）を形成するために、基板上に配置されたフォトレジスト層の一部分を電磁放射に露光することと、フォトレジスト層を、空気に曝すことなく、非気相の中間媒体内に埋設（ｉｍｍｅｒｓｅ）することと、フォトレジスト層を中間媒体に埋設した状態で、フォトレジスト層に電場をかけることと、が含まれる。
【００１１】
本開示の上述の特徴を詳細に理解し得るように、上記で簡単に要約されている本開示のより詳細な説明が、実施形態を参照することによって受けられ得、実施形態のうちの一部は、添付の図面に示される。しかし、本開示は他の等しく有効な実施形態も許容しうることから、付随する図面は本開示の典型的な実施形態のみを例示しており、従って本開示の範囲を限定すると見なすべきではないことに、留意されたい。
【図面の簡単な説明】
【００１２】
【図１】一実施形態による、基板処理装置の概略断面図である。
【図２】図１の装置の電極アセンブリの実施形態の上面図である。
【図３】内部に組み込まれた電極アセンブリの一実施形態を有する、図１の装置の基板支持体アセンブリの一実施形態の、概略側断面図である。
【図４Ａ】本開示の実施形態による、基板処理に使用され得る中間媒体の代表例の概略図である。
【図４Ｂ】本開示の実施形態による、基板処理に使用され得る中間媒体の代表例の概略図である。
【図５Ａ】本開示の実施形態による、基板処理に使用され得る中間媒体の代表例の概略図である。
【図５Ｂ】本開示の実施形態による、基板処理に使用され得る中間媒体の代表例の概略図である。
【図６】本開示の実施形態による、基板処理に使用され得るクラスタ処理システムの一代表例の概略図である。
【図７】一実施形態による、基板処理方法のフロー図である。
【考案を実施するための形態】
【００１３】
理解を容易にするため、可能な場合には、上記の図に共通する同一の要素を示すために同一の参照番号が使用されている。さらに、一実施形態中の要素は、本明細書に記載される他の実施形態中での利用のために有利に適合され得る。
【００１４】
半導体用途のためのフォトリソグラフィプロセスにおいて、ラインエッジラフネス／ライン幅ラフネスを最小化し、露光解像度を向上させるための方法及び装置が、提供される。本明細書で開示される方法及び装置は、フォトリソグラフィプロセスにおける、フォトレジスト感度及び生産性を増大し得る。露光後ベーク手順の間、光酸発生剤によって生成された荷電種がランダムに拡散することは、ラインエッジラフネス／ライン幅ラフネスに寄与し、かつレジスト感度の低下に寄与する。フォトリソグラフィプロセスの間、フォトレジスト層に電場及び／または磁場のフィールドをかけるために、電極アセンブリが利用され得る。電場及び／または磁場の適用は、光酸発生剤によって生成された荷電種の拡散を制御し得る。さらに、フォトレジスト層と電極アセンブリとの間に形成された電場を増強するために、両者の間で中間媒体が利用される。フォトレジスト層と電極アセンブリとの間に規定された空隙によって、電極アセンブリに印加される電圧の低下がもたらされ得、それによって、不利なことに、フォトレジスト層に形成されるのが望ましい電場のレベルが低下する。フォトレジスト層における電場のレベルが不正確であることにより、フォトレジスト層内の特定の望ましい方向に荷電種を動かすまたは作り出すための電圧が不十分または不正確という結果になり得、それゆえ、フォトレジスト層のラインエッジプロファイルの制御の低下に結びつく。こうして、フォトレジスト層と相互作用する電場のレベルを一定の望ましいレベルで維持するため、フォトレジスト層と電極アセンブリとの間に空隙が作り出されるのを防ぐように、両者の間に中間媒体が配置される。そうすることによって、電場によって生成された荷電種は、不正確かつランダムな拡散に起因するラインエッジラフネス／ライン幅ラフネスを防止するように、ライン及び間隔の方向に沿った望ましい方向にガイドされ得る。こうして、制御されたまたは望ましいレベルの電場は、形成されたまま、露光及び／または現像プロセスに向けて、フォトレジスト層の正確性及び感度を増大し得る。一例においては、中間媒体は、スラリ、ゲル、溶液または固体媒体といった、電極アセンブリから基板上に配置されたフォトレジスト層に伝達する際に印加される電圧レベルを規定の範囲に効率的に維持し得る、非気相の媒体であり得る。
【００１５】
図１は、一実施形態による、基板処理装置の概略断面図である。図１の実施形態に示すように、装置は、真空処理チャンバ１００の形態であり得る。他の実施形態においては、処理チャンバ１００は、真空源に連結されていなくてよい。処理チャンバ１００は、独立した処理チャンバであり得る。代わりに、処理チャンバ１００は、例えば、インライン処理システム、クラスタ処理システム、または図６に示すトラック処理システム（下記）といった処理システムの一部であり得る。
【００１６】
処理チャンバ１００には、チャンバ壁１０２、電極アセンブリ１１６、及び基板支持体アセンブリ１３８が含まれる。チャンバ壁１０２には、側壁１０６、リッドアセンブリ１１０、及び底部１０８が含まれる。チャンバ壁１０２は、少なくとも部分的に処理容積１１２を取り囲む。処理容積１１２は、基板１４０の、処理チャンバ１００の内外への移動を容易にするように構成された、基板移送ポート（図示せず）を通ってアクセスされる。処理チャンバ１００が処理システムの一部である実施形態においては、基板移送ポートは、基板１４０の移送チャンバの内外への移送を可能にし得る。
【００１７】
処理容積１１２を排気口に連結するため、処理チャンバ１００のリッドアセンブリ１１０、側壁１０６または底部１０８のうちの１つを通じて、ポンピングポート１１４がオプションで配置され得る。排出口は、ポンピングポート１１４を真空ポンプといった様々な真空ポンプ部品と連結する。ポンピング部品によって、処理容積１１２の圧力が減少され得、任意のガス及び／またはプロセスの副産物が処理チャンバ１００から外に排出され得る。
【００１８】
基板支持体アセンブリ１３８が、処理チャンバ１００内の中央に配置される。基板支持体アセンブリ１３８は、処理の間、基板１４０を支持する。基板支持体アセンブリ１３８は、オプションの電極アセンブリ１１８（図３に記述）を封入する本体１２４を備え得る。本体１２４は、例えば、アルミニウムといった金属、またはセラミックを含み得る。本体１２４が金属を含む実施形態においては、電極アセンブリ１１８は、電極アセンブリ１１８を金属本体１２４から絶縁する、絶縁体材料（図示せず）内に封入され得る。電極アセンブリ１１８は、電源１７４に連結され得る。他の実施形態においては、電極アセンブリ１１８は、接地に連結され得る。幾つかの実施形態においては、電極アセンブリ１１８は、基板支持体アセンブリ１３８の第１の表面１３４によって規定されるｘ−ｙ平面に平行に電場を形成するように構成される。例えば、電極アセンブリ１１８は、ｙ方向、ｘ方向またはｘ−ｙ平面上の他の方向のうちの１つに、電場を形成するように構成され得る。他の実施形態においては、電極アセンブリ１１８は、基板支持体アセンブリ１３８の第１の表面１３４によって規定されるｘ−ｙ平面に垂直に電場を形成するように構成される。
【００１９】
概して、基板支持体アセンブリ１３８は、第１の表面１３４及び第２の表面１２６を有する。第１の表面１３４は、第２の表面１２６の反対側である。第１の表面１３４は、基板１４０を支持するように構成される。第２の表面１２６には、ステム１４２が連結されている。基板１４０は、基板支持体アセンブリ１３８の第１の表面１３４上に配置される。基板１４０は、誘電体基板、ガラス基板、半導体基板、または導電体基板といった、任意のタイプの基板であり得る。基板１４０は、上に配置された層１４５を有し得る。層１４５は、任意の所望の層であり得る。幾つかの実施形態においては、基板１４０は１よりも多い層１４５を有し得る。基板１４０は、層１４５の上に配置されたフォトレジスト層１５０もまた有する。基板１４０は、フォトリソグラフィプロセスの中の露光段階において、既に電磁放射に露光されている。フォトレジスト層１５０は、露光段階から中に形成された、潜在画像線１５５を有する。潜在画像線１５５は、ほぼ平行であり得る。他の実施形態においては、潜在画像線１５５は、ほぼ平行でなくてよい。
【００２０】
幾つかの実施形態においては、基板支持体アセンブリ１３８は、静電チャックであり得る。幾つかの実施形態においては、基板支持体アセンブリ１３８の本体１２４は、組み込み型ヒータ１３２を封入し得る。（抵抗要素といった）組み込み型ヒータ１３２は、基板支持体アセンブリ１３８内に配置される。組み込み型ヒータ１３２は、基板支持体アセンブリ１３８及びその上に配置された基板１４０を、既定の温度まで制御可能に加熱する。組み込み型ヒータ１３２は、基板１４０の温度を、迅速に一定の割合で上昇させ、基板１４０の温度を制御するように構成される。幾つかの実施形態においては、組み込み型ヒータ１３２は、電源１７４に接続され、電源１７４によって制御される。電源１７４は、下記の電源１７０と同様に構成され得る。
【００２１】
幾つかの実施形態においては、処理チャンバ１００は、他の加熱源を含み得る。例えば、加熱ランプが、処理チャンバ１００の内部または外部に配置され得る。幾つかの実施形態においては、電極アセンブリ１１６の基板１４０上またはアンテナ２２０、２２１上に配置されたフォトレジスト層１５０（もしくは他の層）を加熱するために、１または複数のレーザが使用され得る（図２参照）。幾つかの実施形態においては、基板支持体アセンブリ１３８は、基板支持体アセンブリ１３８上に配置された基板１４０の温度をより速く上昇させるため、高効率熱交換液を循環させるように構成され得る。
【００２２】
幾つかの実施形態においては、基板支持体アセンブリ１３８は、第１の表面１３４（及びその上に配置された基板１４０）と電極アセンブリ１１６との間で相対的な移動を提供するように構成され得る。例えば、基板支持体アセンブリ１３８は、ｚ軸の周囲を回転するように構成され得る。基板支持体アセンブリ１３８は、連続的にもしくは恒常的に回転するように構成され得、または、段階的に回転するように構成され得る。例えば、基板支持体アセンブリ１３８は、９０°、１８０°、または２７０°といった既定の量で回転し得、既定の量の時間だけ停止し得る。既定の量の時間の後、回転は、段階的にまたは連続的に継続し得る。
【００２３】
基板支持体アセンブリ１３８は、垂直に（即ち、ｚ方向に）移動するように構成され得る。基板支持体アセンブリ１３８は、電極アセンブリ１１６から隔てられ得る。例えば、基板支持体アセンブリ１３８及び電極アセンブリ１１６とは、少なくとも約０．１ｍｍの距離で隔てられ得る。閉じ込めリング１５４は、基板支持体アセンブリ１３８を取り囲みながら、基板支持体アセンブリ１３８の端部上に配置され、基板支持体アセンブリ１３８の第１の表面１３４と電極アセンブリ１１６との間で、ｚ方向に距離ｄを規定する。閉じ込めリング１５４は、基板１４０が基板支持体アセンブリ１３８の第１の表面１３４上の所望の場所に位置し続けることを助け得る。さらに、閉じ込めリング１５４はまた、フォトレジスト層１５０の上方の処理容積１１２内に位置する中間媒体、即ち、固体スラリ、ゲル、及び／または液体媒体といった非気相媒体を、その場所に閉じ込め得る。一例においては、閉じ込めリング１５４は、中間媒体が処理容積１１２内に配置された際、例えば物質及び／または液体媒体といった中間媒体を、基板１４０上に配置されたフォトレジスト層１５０の表面全体を覆うレベルに保持するのに十分な長さ、即ち約０．５ｍｍ〜約１０ｍｍの間の既定の距離ｄを有し得る。代わりに、閉じ込めリングは、基板１４０を所望の位置にガイドするのを助けるため、基板支持体アセンブリ１３８に向かって下方に延伸しながら、電極アセンブリ１１６の端部に配置され得る。一例においては、閉じ込めリング１５４は、セラミック材料、導電性材料、誘電体材料、または、処理容積１１２内に位置する中間媒体に対して化学的に不活性な、他の好適な材料から製造され得る。
【００２４】
一例においては、中間媒体分注器１７３が、チャンバ壁１０２を通って処理チャンバ１００内に配置される。中間媒体分注器１７３には、分注器１７３に連結され、基板１４０上方の閉じ込めリング１５４によって閉じ込められた処理容積１１２に中間媒体を分注するように構成された、ノズル１７１が含まれる。中間媒体分注器１７３は、中間媒体を処理容積１１２に供給する中間媒体源１７２に連結される。中間媒体の好適な例には、水、有機ゲル、樹脂、無機溶液、無機ゲル、スラリなどといった任意の好適な液体、または、基板１４０のほぼ表面全体を覆うため、容易に溶解しその後再凝固し得る、任意の固体材料が含まれる。使用され得る中間媒体に関する詳細は、以下で図４Ａ〜５Ｂを参照して記載される。
【００２５】
ステム１４２は、基板支持体アセンブリ１３８を、上昇した処理位置（図示のとおり）と下降した基板移送位置との間で移動させるリフトシステム（図示せず）に連結される。リフトシステムは、基板１４０の位置をｚ方向に制御し得る。幾つかの実施形態においては、リフトシステムはまた、基板１４０をｘ方向、ｙ方向、またはｘ方向及びｙ方向に移動させるようにも構成され得る。ステム１４２は、追加で、基板支持体アセンブリ１３８と処理チャンバ１００の他の部品との間の電気及び熱電対の導線用の導管を提供する。処理容積１１２と処理チャンバ１００外部の大気との間に真空シールを設け、基板支持体アセンブリ１３８のｚ方向の移動を容易にするために、ベローズ１４６が基板支持体アセンブリ１３８に連結される。
【００２６】
オプションで、リッドアセンブリ１１０は入り口１８０を含み得、供給源１０４から供給されたガスは、入り口１８０を通って処理チャンバ１００に入り得る。オプションで、供給源１０４は、窒素、アルゴン、ヘリウム、水素、ネオン、塩素、その他のガス、またはそれらの組み合わせといったガスによって、処理容積１１２を制御可能に加圧し得る。供給源１０４からのガスによって、処理チャンバ１００内に制御された環境が作り出され得る。他の実施形態においては、供給源１０４からのガスは、プラズマを生成するために使用され得る。例えば、プラズマは、遠隔プラズマ源１６０内で生成され得る。供給源１０４は、供給導管１０５を通じて、処理容積１１２に直接連結され得る。示されるような幾つかの実施形態においては、１または複数の原料（ｓｏｕｒｃｅ）化合物が、間接的に処理容積１１２に流入し得る。示されるように、１または複数の原料化合物は、処理容積１１２に流入する前に、まず遠隔プラズマ源１６０を通過する。
【００２７】
遠隔プラズマ源１６０は、電子といった荷電種を、処理容積１１２内に提供するように構成され得る。遠隔プラズマ源は、例えば、容量結合されたプラズマ源、または誘導結合されたプラズマ源であり得る。リモートプラズマ源１６０は、電源１７６に連結される。電源１７６は、例えば、ＲＦ電源であり得る。電源１７６は、１０Ｈｚと約１ＭＨｚの間、例えば約５ｋＨｚの周波数で電力を供給するように構成され得る。他の実施形態においては、電源１７６は、１３．５６ＭＨｚで電力を供給するように構成され得る。電源１７６及び遠隔プラズマ源１６０は、「ソフト」なプラズマを生成するように構成され得る。例えば、生成されたプラズマには、約５ｅＶと約５０ｅＶの間といった、約１ｅＶと約１０００ｅＶとの間のイオンエネルギーを有する荷電種が含まれ得る。幾つかの実施形態では、イオンエネルギーは約１ｅＶから約５ｅＶの間であり得る。ソフトプラズマ内の電子は、第１の表面１３４の面とは垂直な方向に向けて光酸発生剤から生成された荷電種２５５（図２Ａ及び２Ｂに示す）を駆動するために、使用され得る。荷電種をｚ方向に駆動することによって、レジスト感度が増大され得る。
【００２８】
３００ｍｍの基板を使用する代表例においては、ソフトプラズマは、以下のように生成され得る。ガス流は、基板の直径に比例して測定され得ると考えられる。水素ガスが、約１０ｓｃｃｍと約１０００ｓｃｃｍとの間の流量で、遠隔プラズマ源１６０内に供給され得る。オプションで、アルゴンは約１０００ｓｃｃｍまでの流量で遠隔プラズマ源１６０内に流入され得る。誘導結合された遠隔プラズマ源１６０内で、約４００Ｗと約８００Ｗの間のＲＦ電力から、プラズマが生成され得る。処理容積１１２の圧力は、少なくとも１０−５Ｔｏｒｒにまで減少され得る。例えば、圧力は約１０−６Ｔｏｒｒから約１０−８Ｔｏｒｒの間にまで減少され得る。基板支持体アセンブリ１３８の温度は、必要に応じて、約７０°Ｃと約１６０°Ｃの間、例えば約９０°Ｃと１４０°Ｃの間といった、室温から約２００°Ｃまでに維持され得る。
【００２９】
電極アセンブリ１１６と基板支持体アセンブリ１３８との間の相対的な移動を提供するため、リッドアセンブリ１１０と電極アセンブリ１１６との間に、アクチュエータ１９０が連結され得る。アクチュエータ１９０は、電極アセンブリ１１６をｘ、ｙ、及びｚ方向のうちの１または複数の方向に移動させるように構成され得る。本明細書では、ｘ及びｙ方向は、横の方向または次元として言及される。アクチュエータ１９０によって、電極アセンブリ１１６が基板１４０の表面をスキャンすることが可能になる。アクチュエータ１９０はまた、距離ｄが調節されることも可能にする。幾つかの実施形態においては、電極アセンブリ１１６は、固定ステム（図示せず）によってリッドアセンブリ１１０に連結される。幾つかの実施形態においては、アクチュエータ１９０は、電極アセンブリ１１６をｚ軸の周囲で回転させるように構成される。他の実施形態においては、電極アセンブリ１１６は、処理チャンバ１００の底部１０８の内部、基板支持体アセンブリ１３８の第２の表面１２６、またはステム１４２に連結され得る。
【００３０】
電極アセンブリ１１６には、１または複数の電極が含まれる。電極アセンブリ１１６は、電源１７０に連結される。電極アセンブリ１１６に１つよりも多い電極が含まれる実施形態においては、各電極が電源に接続され得る。幾つかの実施形態においては、電極アセンブリ１１６は、基板支持体アセンブリ１３８の第１の表面１３４によって規定されるｘ−ｙ平面に平行に電場を形成するように構成される。例えば、電極アセンブリ１１６は、ｙ方向、ｘ方向またはｘ−ｙ平面上の他の方向のうちの１つに、電場を形成するように構成され得る。一実施形態においては、電極アセンブリ１１６は、ｘ−ｙ平面上かつ潜在画像線１５５の方向に、電場を形成するように構成される。他の実施形態においては、電極アセンブリ１１６は、ｘ−ｙ平面上かつ潜在画像線１５５とは垂直の方向に、電場を形成するように構成される。電極アセンブリ１１６は、追加で、または代わりに、ｚ方向、例えば第１の表面１３４と垂直に、電場を形成するように構成され得る。
【００３１】
電源１７０及び／または電源１７４は、例えば、約５００Ｖと約１００ｋＶの間の電圧を、電極アセンブリ１１６及び／または電極アセンブリ１１８の１または複数の電極に、供給するように構成され得る。幾つかの実施形態においては、電源１７０及び／または電源１７４は、連続もしくはパルスの直流（ＤＣ）電源、または連続もしくはパルスのＡＣ電源である。パルスのＤＣ波またはＡＣ波は、半波整流器または全波整流器からであり得る。電源１７０及び／または電源１７４は、約１０Ｈｚと約１ＭＨｚの間、例えば約５ｋＨｚの周波数で電力を供給するように構成され得る。パルスＤＣ電力またはＡＣ電力のデューティサイクルは、約２０％と約６０％の間といった、約５％と約９５％の間であり得る。幾つかの実施形態においては、パルスＤＣ電力またはＡＣ電力のデューティサイクルは、約２０％と約４０％の間であり得る。他の実施形態においては、パルスＤＣ電力またはＡＣ電力のデューティサイクルは、約６０％であり得る。パルスＤＣ電力またはＡＣ電力の立ち上がり及び立ち下がり時間は、約１０ｎｓと約５００ｎｓの間といった、約１ｎｓと約１０００ｎｓの間であり得る。他の実施形態においては、パルスＤＣ電力またはＡＣ電力の立ち上がり及び立ち下がり時間は、約１０ｎｓと約１００ｎｓの間であり得る。幾つかの実施形態においては、パルスＤＣ電力またはＡＣ電力の立ち上がり及び立ち下がり時間は、約５００ｎｓであり得る。幾つかの実施形態においては、電源１７０及び／または電源１７４は、交流電源である。他の実施形態においては、電源１７０及び／または電源１７４は、直流電源である。
【００３２】
示されるように、電極アセンブリ１１６は、ほぼ、基板支持体アセンブリ１３８の幅にわたって広がっている。他の実施形態においては、電極アセンブリ１１６の幅は、基板支持体アセンブリ１３８の幅よりも小さくてよい。例えば、電極アセンブリ１１６は、基板支持体アセンブリ１３８の幅の、約２０％から約４０％といった、約１０％から約８０％の間にわたって広がり得る。電極アセンブリ１１６の幅が基板支持体アセンブリ１３８の幅よりも短い実施形態においては、アクチュエータ１９０は、基板支持体アセンブリ１３８の第１の表面１３４上に配置された基板１４０の表面にわたって、電極アセンブリ１１６をスキャンし得る。例えば、アクチュエータ１９０は、電極アセンブリ１１６が基板１４０の表面全体をスキャンするように、スキャンし得る。他の実施形態においては、アクチュエータ１９０は、基板１４０のある一部分だけをスキャンし得る。代わりに、基板支持体アセンブリ１３８は、電極アセンブリ１１６の下をスキャンし得る。
【００３３】
幾つかの実施形態においては、処理チャンバ１００内に、１または複数の磁石１９６が配置され得る。図１に示す実施形態においては、磁石１９６は、側壁１０６の内側表面に連結される。他の実施形態においては、磁石１９６は処理チャンバ１００内の他の場所、または処理チャンバ１００の外部に配置され得る。例えば、磁石１９６は、処理チャンバ１００内で、かつ、底部１０８及び／またはリッドアセンブリ１１０に隣接して、配置され得る。磁石１９６は、例えば、永久磁石または電磁石であり得る。代表的な永久磁石には、セラミック磁石及びレアアース磁石が含まれる。磁石１９６に電磁石が含まれる実施形態においては、磁石１９６は電源（図示せず）に連結され得る。磁石１９６は、電極アセンブリ１１６及び／または電極アセンブリ１１８によって形成される電場に対して、平行な方向、垂直な方向、または他の方向に向けて、磁場を形成するように構成される。磁石１９６は、第１の表面１３４にわたって、約１テスラ（Ｔ）と約５Ｔの間といった、約０．１Ｔと約１０Ｔの間の磁場強度を形成するように構成され得る。磁場のフィールドを含む実施形態においては、磁石１９６は、静止状態を保ち得るか、または第１の表面１３４に対して移動し得る。
【００３４】
図２は、図１の電極アセンブリ１１６の実施形態の上面図である。図２に示されるように、電極アセンブリ１１６は、少なくとも第１の電極２５８及び第２の電極２６０を含み得る。第１の電極２５８には、第１の端子２１０、支持構造物２３０、及び１または複数のアンテナ２２０が含まれる。第２の電極２６０には、第２の端子２１１、支持構造物２３０、及び１または複数のアンテナ２２１が含まれる。第１の電極２５８の第１の端子２１０、支持構造物２３０、及び１または複数のアンテナ２２０は、単一の本体を形成し得る。代わりに、第１の電極２５８は、連結され得る、別個の部分を含み得る。例えば、１または複数のアンテナ２２０は、支持構造物２３０から取外し可能であり得る。同様に、第２の電極２６０は、単一の本体であり得るか、または取外し可能な別個の部品から成り得る。第１の電極２５８及び第２の電極２６０は、任意の好適な方法によって用意され得る。例えば、第１の電極２５８及び第２の電極２６０は、機械加工、鋳造、または積層造形によって製作され得る。
【００３５】
支持構造物２３０は、金属といった導電性材料から作られ得る。例えば、支持構造物２３０は、シリコン、ポリシリコン、炭化ケイ素、モリブデン、アルミニウム、銅、グラファイト、銀、プラチナ、金、パラジウム、亜鉛、他の材料、またはこれらの混合物のうちの１または複数から作られ得る。支持構造物２３０は、任意の所望の寸法を有し得る。例えば、支持構造物２３０の長さＬＳは、約２５ｍｍと約４５０ｍｍの間、例えば、約１００ｍｍと約３００ｍｍの間であり得る。幾つかの実施形態においては、支持構造物２３０は、標準的な半導体基板の直径とほぼ等しい長さＬＳを有する。他の実施形態においては、支持構造物２３０は、標準的な半導体基板の直径より大きいまたは小さい長さＬＳを有する。例えば、種々の代表的な実施形態において、支持構造物２３０の長さＬＳは、約２５ｍｍ、約５１ｍｍ、約７６ｍｍ、約１００ｍｍ、約１５０ｍｍ、約２００ｍｍ、約３００ｍｍ、または約４５０ｍｍであり得る。支持構造物２３０の幅ＷＳは、約２ｍｍから約２５ｍｍの間であり得る。他の実施形態においては、支持構造物２３０の幅ＷＳは、約２ｍｍ未満であるか、または約２５ｍｍより大きくてよい。支持構造物２３０の厚さは、約２ｍｍと約８ｍｍの間、例えば約５ｍｍといった、約１ｍｍと約１０ｍｍの間であり得る。他の実施形態においては、支持構造物は、約１ｍｍ未満の、または約１０ｍｍより大きい厚さを有し得る。幾つかの実施形態においては、支持構造物２３０は、正方形、円筒形、長方形、長円形、棒状、または他の形状の断面を有し得る。丸い外表面を有する実施形態は、アーク放電を回避し得る。
【００３６】
支持構造物２３１は、支持構造物２３０と同一の材料から作られ得る。支持構造物２３０及び支持構造物２３１は、異なる材料から作られてよい。支持構造物２３０と支持構造物２３１の長さＬＳ、幅ＷＳ及び厚さは、同じであってもよく、異なっていてもよい。第１の電極２５８の１または複数のアンテナ２２０もまた、導電性材料から作られてよい。１または複数のアンテナ２２０は、支持構造物２３０と同一の材料から作られてよい。各アンテナ２２０は、同一の寸法を有し得る。代わりに、１または複数のアンテナ２２０のうちの幾つかは、１または複数の他のアンテナ２２０とは異なる寸法を有し得る。アンテナ２２１は、アンテナ２２０と同じ範囲の材料から作られ得る。アンテナ２２０にとって好適な寸法の範囲は、アンテナ２２１にとってもまた好適である。
【００３７】
アンテナ２２０の数は、約１と約４０との間であり得る。例えば、アンテナ２２０の数は、約４と約４０の間、例えば、約１０と約２０の間であり得る。各アンテナ２２０は、他の各アンテナ２２０とほぼ平行であり得る。各アンテナ２２１は、支持構造物２３１及び他の各アンテナ２２１に対して、同様に配置され得る。一例においては、支持構造物２３０及び支持構造物２３１は、真っ直ぐであり得る。他の例では、支持構造物２３０及び支持構造物２３１は、湾曲したり、ギザギザであったり、または他の輪郭もしくは形状を有したりと、真っ直ぐでなくてよい。これらの実施形態において、各アンテナ２２０は、引き続き他の各アンテナ２２０とほぼ平行であり得る。
【００３８】
各アンテナ２２０は、終端部２２３を有する。各アンテナ２２１は、終端部２２５を有する。支持構造物２３０と終端部２２５との間に、距離Ｃが規定される。支持構造物３１と終端部２２３との間に、距離Ｃ’が規定される。各距離Ｃ及びＣ’は、約１ｍｍと約１０ｍｍの間であり得る。アンテナ２２１のうちの１つと隣接するアンテナ２２１のうちの１つとの相対する表面間に、距離Ａが規定される。アンテナ２２０の１つと隣接するアンテナ２２０のうちの１つとの相対する表面間に、距離Ａ’が規定される。距離Ａ及びＡ’は、約６ｍｍより大きくてよい。アンテナ２２０のうちの１つと隣接するアンテナ２２１のうちの１つとの相対する表面間に、距離Ｂが規定される。距離Ｂは、例えば、約１ｍｍより大きくてよい。アンテナ２２０と隣接するアンテナとの間に形成された電場の強度は、距離Ｂと相互に関連する。例えば、より小さい距離Ｂは、より強い電場と相互関連する。したがって、より強い電場が望まれる実施形態においては、より小さい距離Ｂが有利であり得る。
【００３９】
動作中、電源１７０は、第１の端子２１０に電圧を供給し得、及び／または、電源１７０’は、第２の端子２１１に電圧を供給し得る。電源１７０’は、電源１７０とほぼ同様であり得る。供給された電圧によって、１または複数のアンテナ２２０の各アンテナと、１または複数のアンテナ２２１の各アンテナとの間に電場が作り出される。電場は、１または複数のアンテナ２２０の各アンテナと、１または複数のアンテナ２２１の隣接するアンテナとの間で、最も強力である。アンテナ２２０及び２２１の、交互のかつ位置合わせされた空間的関係によって、第１の表面１３４によって規定される面に平行な方向に電場が作り出される。基板１４０は、潜在画像線１５５が、電極アセンブリ１１６によって形成された電場の線と平行になるように、第１の表面１３４上に配置される。荷電種２５５は荷電しているため、荷電種２５５は、電場によって影響される。フォトレジスト層１５０内で光酸発生剤によって生成された荷電種２５５は、電場によって、電場の方向に駆動される。潜在画像線１５５と平行な方向に荷電種２５５を駆動することによって、ラインエッジラフネスが削減され得る。当該均一な方向動作は、両矢印２７０によって表される。対照的に、第１の端子２１０または第２の端子２１１に対して電圧が印加されていない場合、任意の具体的な方向に荷電種２５５を駆動する電場は作り出されない。結果として、矢印２７０’に示すように、荷電種２５５はランダムに動き得る。他の実施形態においては、基板１４０は、アンテナ２２０、２１０に対して、異なる向きに配向され得る。例えば、アンテナ２２０、２２１は、潜在画像線１５５と平行であり得る。
【００４０】
図３は、内部に組み込まれた電極アセンブリ１１８の一実施形態を有する、図１の基板支持体アセンブリ１３８の一実施形態の、概略側断面図である。電極アセンブリ１１８は、本体１２４の第１の表面１３４と第２の表面１２６との間に組み込まれている。電極アセンブリ１１８は、第１の表面３３４及び第２の表面３２６を有する。第１の表面３３４と第２の表面３２６は互いに反対側であり、基板支持体アセンブリの第１の表面１３４に対してほぼ平行である。電極アセンブリ１１８の第１の表面３３４は、基板支持体アセンブリ１３８の第１の表面１３４に対して、第２の表面３２６よりも近接している。距離Ｄは、基板支持体アセンブリ１３８の第１の表面１３４を、電極アセンブリの第１の表面３３４から隔てている距離を表す。距離Ｄは、約０．１ｍｍと約１００ｍｍとの間であり得る。例えば、距離Ｄは、約８ｍｍと約１４ｍｍとの間であり得る。電極アセンブリ１１８によって第１の表面１３４及び／またはフォトレジスト層１５０に対して提供される電場の強度は、距離Ｄによって制御され得る。荷電種２５５の拡散速度は、電場の強度によって制御される。
【００４１】
基板支持体アセンブリ１３８は、外側表面３４８を有する。電極アセンブリ１１８は、外側表面３２８を有する。距離Ｅは、外側表面３２８と外側表面３４８との間のリムを表す。距離Ｅは、例えば、距離Ｄにとって好適な任意の距離であり得る。距離Ｅは、電極アセンブリ１１８を通じて一定であり得るか、または、距離Ｅは変化し得る。電極アセンブリ１１８の厚さは、距離ＴＡによって表される。距離ＴＡは、上記のアンテナ２２０、２２１にとって好適な任意の厚さであり得る。示されるように、電極アセンブリ１１８は、電源１７４に連結される。電源１７４によって電極アセンブリ１１８に対して供給される電力の特性は、図１の電源１７０に関連して上記されたとおりであり得る。
【００４２】
図４Ａは、処理容積１１２内に配置され、基板１４０上方で閉じ込めリング１５４によって保持された、中間媒体４０２を有する基板支持体アセンブリ１３８の一例を示す。中間媒体４０２が処理容積１１２内に配置されない場合、典型的には、基板１４０と電極アセンブリ１１６との間の処理容積１１２内に、空隙が規定される。処理容積１１２内に規定される空隙の寸法は、電極アセンブリ１１６が基板１４０に接近して位置している距離によって決定され得る。例えば、電極アセンブリ１１６が、基板１４０上に配置されたフォトレジスト層１５０の近くに位置している場合、処理容積１１２内には、より小さい寸法の空隙が規定され得る。対照的に、電極アセンブリ１１６が、基板１４０から比較的遠くに離れて位置している場合、処理容積１１２内には、より大きい寸法の空隙が規定され得る。
【００４３】
処理容積中に形成された空気媒体（即ち空隙）は、電極アセンブリ１１６、１１８に電圧が印加された際、不利なことに、電圧の低下という結果につながると考えられている。基板１４０中と空気中とで誘電率が大きく異なる（例えば基板１４０中では約１１．７であり、空気中では１）ため、電極アセンブリ１１６に供給された電圧が基板１４０に電場を形成する際、電圧が処理容積１１２内に形成された空隙を通じて伝送されると、基板１４０上に配置されたフォトレジスト層１５０に到達する前に、しばしば電圧の顕著な低下が観測される。空気中の誘電率が低いため（例えば誘電率が１のため）、電極アセンブリ１１６から印加される電圧レベルが顕著に変化すると考えられている。こうして、処理容積１１２内に規定される空隙を代替するために、相対的に高い（例えば１０より高い）誘電率の物質を挿入することによって、中に電場を形成するために印加される電圧は、基板１４０上に配置されたフォトレジスト層１５０に到達するまでの間、顕著な損失なしに、所望のレベルに維持され得る。一例においては、処理容積中に配置された中間媒体４０２は、電圧が顕著に低下することなく、中を通って伝達される電圧のレベルを維持するのを助けることができる、脱イオン水、有機ゲル、無機溶液、または、高誘電率を有する他の好適な媒体といった、溶液であり得る。一例においては、（例えば約８０の誘電率を有する）脱イオン水が、閉じ込めリング１５４によって閉じ込められた、基板支持体アセンブリ１３８上方の処理容積１１２の内部に配置され、位置する。
【００４４】
一例においては、中間媒体４０２は、処理容積１１２をほぼいっぱいに満たすため、中間媒体分注器１７３を介して、中間媒体源１７２から供給され得る。処理容積１１２中に配置された中間媒体４０２は、電極アセンブリ１１６の下表面４０６のごく近くに、インターフェース４０４を作り出し得る。処理容積１１２中の中間媒体源１７２が満たされた後、電極アセンブリ１１６と中間媒体源１７２との間に最小のまたは無視し得る距離４０７を保つように、電極アセンブリ１１６が下降され得る。そうすることによって、低誘電率の空隙によって生じる電圧低下の可能性が、大部分除去され得る。
【００４５】
図４Ｂに示すように、脱イオン水以外の種々の材料もまた、閉じ込めリング１５４によって規定された処理容量１１２の領域内に充填するための中間媒体源１７２として利用され得る。図４Ｂに示す例においては、９よりも高い誘電率を有するゲル／流動性有機物液滴（ｆｌｏｗａｂｌｅ  ｏｒｇａｎｉｃ  ｄｒｏｐｌｅｔｓ）４１０もまた、処理容積１１２内に充填するために使用され得る。ゲル／流動性有機物液滴４１０は、ゲル／流動性有機物液滴のインターフェース４１２が、最小限の及び／または無視し得る空隙の余地を残して、電極アセンブリ１１６の下表面４０６のごく近くに規定されるまで、基板１４０にスピンオンされ得る。閉じ込めリング１５４によって閉じ込められ、基板支持体アセンブリ１３８上方に規定された処理容積１１２を満たすのに必要なゲル／流動性有機物液滴４１０の量は、これらの構成要素の形状寸法による。基板１４０の表面に接する望まない空隙を残すことなく、処理容積１１２がほぼいっぱいになるまで、ゲル／流動性有機物液滴４１０が連続的に添加され得ることは、留意されたい。
【００４６】
図５Ａは、下表面４０６から電極アセンブリ１１６の端部に配置された閉じ込めリング５０２を有する、電極アセンブリ１１６の他の実施形態を示す。電極アセンブリ１１６の下に、下表面４０６に接触するように、閉じ込めリング５０２によって閉じ込められた領域内に配置されるため、液体媒体の代わりに固体媒体５０４が利用され得る。図５Ｂに示すように、固体媒体５０４が所定の場所に置かれた後、次いで電極アセンブリ１１６は、固体媒体５０４を基板１４０上に配置されたフォトレジスト層１５０と接触させるために、アクチュエータ１９０によって下降され得る。例えば所望の誘電率など、固体媒体５０４の品質及び特性を注意深く選択することによって、固体媒体５０４は、電極アセンブリ１１６と、基板支持体アセンブリ１３８中に配置された電極アセンブリ１１８との間の、印加される電圧レベルを限界の形成のために所望の範囲に維持するための良好な媒体としての役割を果たす。一例においては、固体媒体５０４は、基板１４０上に配置されたフォトレジスト層１５０の表面全体を覆い得るサイズを有する、固形のディスクであり得る。固体媒体５０４は、機械的結合または化学的結合を含む任意の好適な技法によって、電極アセンブリ１１６に取り付けられ得る。固体媒体５０４は、フォトレジスト層１５０の上方に位置する場合、閉じ込めリング５０２によって閉じ込められた位置、フォトレジスト層１５０のごく近くに、最小限の及び／または無視し得る空隙の余地で、配置され得る。本明細書に記載する「無視し得る余地」という語句は、１０ミクロン未満の寸法の空間であり得ることは留意されたい。一例においては、固体媒体５０４は、１０を超える高誘電率を有する材料から製造され得る。固体媒体５０４の好適な例には、水晶またはＴｉＯ２が含まれる。
【００４７】
図６は、本開示の実施形態による、基板処理に使用され得る代表的一処理システム６００を示す。示されるように、処理システム６００には、負荷ポート６１０、コーティングチャンバ６２０、処理チャンバ１００、露光チャンバ６３０（例えばスキャナ）、第２の処理チャンバ１００、現像チャンバ６４０、及び後処理チャンバ６５０が含まれる。処理システム６００の各処理チャンバは、移送チャンバ６０５または移送チャンバ６１５によって、隣接するそれぞれのチャンバに連結される。移送チャンバ６０５及び移送チャンバ６１５は、ほぼ同じであっても良く、違っていてもよい。
【００４８】
負荷ポート６１０は、基板を処理システム６００に搬入する、または処理システム６００から搬出するために使用され得る。コーティングチャンバ６２０は、例えば、基板にフォトレジストを塗布するために使用され得る。コーティングチャンバ６２０は、例えば、スピンコーターであり得る。現像チャンバ６３０は、基板上のフォトレジスト層内に潜在的な酸の画像を形成するため、基板を電磁エネルギーに露光するのに使用され得る。現像チャンバ６４０は、例えば、フォトレジスト層の部分を除去するために使用され得る。後処理チャンバ６５０は、例えば、基板に対して様々な後処理のステップを実施するために使用され得る。処理チャンバ１００は、現像前ベーク、現像後ベーク、及び／または他の処理のステップに使用され得る。上記のように、処理チャンバ１００は、１または複数の電極アセンブリ１１８、遠隔プラズマ源１６０、及び磁石１９６を含み得る。しかし、コーティングチャンバ６２０、露光チャンバ６３０、及び現像チャンバ６４０もまた、同様に設けられ得ることは理解されたい。
【００４９】
図７は、基板１４０といった基板を処理するための、代表的方法７００のフロー図である。基板１４０を処理するための方法７００は、複数の段階を有する。各段階は、（文脈からその可能性が除外されている場合を除いて）任意の順序でまたは同時に実施され得、方法は、（文脈からその可能性が除外されている場合を除いて）いかなる既定の段階よりも前に、または既定の段階のうちの２つの段階の間に、または既定の全段階の後に実施される、１または複数の他の段階を含むことができる。全ての実施形態に必ずしも全ての段階が含まれなくてよい。
【００５０】
一般的に、方法７００は、光酸発生剤を含有するフォトレジストを基板１４０に塗布することによって、工程７１０で開始される。工程７１０において、フォトレジストは、フォトレジスト層１５０を形成するために基板１４０に塗布される。フォトレジスト層１５０は、例えば、処理システム６００に含まれるコーティングチャンバ６２０といったスピンコート装置の内部で、スピンコートによって実施される。こうした実施形態においては、基板１４０は、負荷ポート６１０を経由して処理システム６００内に搬入され得、その後、移送チャンバ６０５を経由してコーティングチャンバ６２０へ移送され得る。
【００５１】
フォトレジストは、溶媒、フォトレジスト樹脂、及び光酸発生剤を含み得る。フォトレジスト樹脂は、任意のポジ型のフォトレジスト樹脂、または任意のネガ型のフォトレジスト樹脂であり得る。代表的なフォトレジスト樹脂には、アクリレート、ノボラック樹脂、ポリメタクリル酸メチル、及びポリオレフィンスルホンが含まれる。他のフォトレジスト樹脂もまた、使用され得る。
【００５２】
フォトレジスト層１５０が電磁放射に露光されるのに先立ち、光酸発生剤は、酸性カチオン及びアニオンといった荷電種２５５を生成する。光酸発生剤は、分極種もまた生成し得る。光酸発生剤は、樹脂に、電磁放射に対する感光性を与える。代表的な光酸発生剤には、例えば、スルホン酸塩類、スルホン酸エステル、及びスルホニルオキシケトンといった、スルホン酸化合物が含まれる。他の好適な光酸発生剤には、アリールジアゾニウム塩、ハロニウム塩、芳香族スルホニウム塩、及びスルホキソニウム塩といったオニウム塩、またはセレニウム塩が含まれる。他の代表的な光酸発生剤には、ニトロベンジルエステル、ｓ−トリアジン誘導体、イオン性スルホン酸ヨードニウム（ｉｏｎｉｃ  ｉｏｄｏｎｉｕｍ  ｓｕｌｆｏｎａｔｅｓ）、パーフルオロアルカンスルホン酸、アリールトリフラート、並びにこれらの誘導体及び類似体、ピロガロール誘導体、並びにアルキルジスルホンが含まれる。他の光酸発生剤もまた、使用され得る。
【００５３】
次いで工程７２０において、基板１４０は、露光前ベークプロセスによって加熱される。露光前ベークプロセスの間、フォトレジスト用溶媒を部分的に蒸発させるため、基板が加熱される。工程７２０における露光前ベーク及び工程７１０におけるフォトレジストの塗布は、同一のチャンバで起こってもよく、異なるチャンバで起こってもよい。例えば、工程７１０、７２０は双方とも、スピンコーター内で起こってもよく、基板１４０が異なる処理チャンバに移送されてもよい。例えば、処理システム６００を使用する実施形態では、基板１４０はコーティングチャンバ６２０から、移送チャンバ６０５を経由して処理チャンバ１００へと移送され得る。
【００５４】
次いで工程７３０においては、リソグラフィの露光プロセス用に基板１４０を電磁放射に露光するため、基板１４０は露光チャンバ６３０へと移送される。基板１４０及びフォトレジスト層１５０の一部は、電磁放射に露光される。露光の間、フォトレジスト層１５０の一部は選択的に露光され、フォトレジスト層１５０の一部は、選択的に露光されない。電磁放射に露光されたフォトレジスト層１５０の一部は、電磁放射に露光されないフォトレジスト層１５０の一部とは、異なる化学的特性を有し得る。光酸発生剤によって生成された荷電種２５５は、結果的にレジスト樹脂中の潜在的な酸の画像になる。幾つかの実施形態においては、フォトマスクまたはレチクルは、フォトレジスト層１５０の間に配置され得、フォトレジスト層１５０は、マスクまたはレチクルを通して電磁放射に露光され得る。マスクまたはレチクルは、フォトレジスト層１５０に対して線を含むパターンを転写するように構成され得る。他の実施形態においては、線を含むパターンが、マスクレスリソグラフィ技法を用いてフォトレジスト層１５０に転写され得る。転写された潜在画像線１５５は、任意の所望の長さ、幅及び潜在画像線１５５間の間隔を有し得る。例えば、幾つかの実施形態においては、ラインの幅とラインの間隔は、約１０ｎｍと約１６ｎｍの間であり得る。他の実施形態においては、ラインの幅と間隔は、約１０ｎｍ未満であっても良く、約１６ｎｍより大きくてもよい。幾つかの実施形態においては、潜在画像線１５５の長さは、当該潜在画像線１５５の幅の約１５０％の大きさであり得る。他の実施形態においては、潜在画像線１５５の長さは、例えば、当該潜在画像線１５５の幅の約１０００％よりも大きいというように、当該潜在画像線１５５の幅の約２００％よりも大きくてよい。
【００５５】
電磁放射は概して、フォトレジスト層１５０を露出させるのに好適な波長を有する。例えば、電磁放射は、約１０ｎｍと約１２４ｎｍの間といった、超紫外線（ＥＵＶ）の範囲の波長を有し得る。他の実施形態においては、電磁放射は、フッ化アルゴンレーザによって生成され得る。こうした実施形態においては、電磁放射は、約１９３ｎｍの波長を有し得る。幾つかの実施形態においては、波長は２４８ｎｍであり得る。他の実施形態においては、異なる波長が使用され得る。幾つかの実施形態においては、電磁放射は、電子ビームまたはイオンビームからである。
【００５６】
露光後、工程７４０において、基板１４０は、工程７４０で電磁放射に露光されたフィルムの特性を変化させる露光後ベークプロセスのため、露光後ベーク段階で加熱される。基板１４０は、露光後ベークプロセスのため、露光チャンバ６３０から移送チャンバ６１５を経由して処理チャンバ１００に移送され得る。基板１４０は、基板支持体アセンブリ１３８の第１の表面１３４上に配置され得る。基板１４０を加熱するため、電源１７４は、組み込み型ヒータ１３２に電力を供給し得る。組み込み型ヒータ１３２は、基板１４０及びフォトレジスト層１５０を迅速に加熱し得る。例えば、組み込み型ヒータ１３２は、フォトレジスト層１５０の温度を、外気温から、例えば約９０°Ｃと約１４０°Ｃの間といった、約７０°Ｃと約１６０°Ｃの間の温度まで、約２秒未満で上昇させ得る。
【００５７】
工程７４０における露光後ベークの間、フォトレジスト層１５０内の光酸発生剤は、フォトレジスト層１５０の露光された部分の化学的特性を変化させ続け得る。工程７４０において露光後ベークプロセスを実施している間、ベークプロセスに加えて、工程７０１に記載のとおりフォトレジスト層１５０に電場が形成され得る。電極アセンブリ１１６及び／または電極アセンブリ１１８の間に、電場をかけている間、荷電種２５５は、電場、磁場及びプラズマのうちの少なくとも１つによって、所望の方向にガイドされ得る。磁場は、例えば、磁石１９６によって形成され得る。プラズマは、例えば、遠隔プラズマ源１６０によって生成され得る。中間媒体４０２、ゲル／流動性有機物液滴４１０、または固体媒体５０４を処理容積１１２中で利用することによって、電場形成のために電極アセンブリ１１６、１１８に印加される電圧の低下／喪失の可能性が、顕著に低減または除去され得る。フォトレジスト層１５０に電場を形成する間、フォトレジスト層１５０の種々の場所における電場強度を変化させる必要に応じて、基板１４０は、電極アセンブリ１１６、１１８に対する相対的な移動をしてもしなくてもよい。
【００５８】
上記のように、荷電種２５５は、任意の方向または任意の方向の組み合わせへとガイドされ得る。幾つかの実施形態においては、荷電種２５５は、一工程においては潜在画像線１５５に対して１つの方向にガイドされ、別の工程においては潜在画像線１５５に対して別の方向にガイドされる。例えば、露光工程７３０の間には、荷電種２５５は第１の表面１３４に垂直な方向にガイドされ得、露光後ベーク工程７４０の間には、荷電種２５５は潜在画像線１５５の方向に、または、潜在画像線１５５の方向及び第１の表面１３４に垂直な方向の両方に、ガイドされ得る。他の実施形態においては、荷電種は、露光工程７３０の間は、潜在画像線１５５の方向、または、潜在画像線１５５の方向と第１の表面１３４に垂直な方向の両方にガイドされ得、工程７４０の露光後ベークの間は、第１の表面１３４に垂直な方向にガイドされ得る。幾つかの実施形態においては、荷電種２５５は、単一のフェーズ内で、種々の方向にガイドされ得る。例えば、露光工程または露光後ベーク工程においては、荷電種２５５は、段階の一部の間は、第１の表面１３４と垂直な方向にガイドされ得、段階の一部の間は、第１の表面１３４と平行かつ潜在画像線の方向に沿った方向に、ガイドされ得る。こうしたガイド方向の変化は、垂直の磁場をかけている間に、磁場をオン／オフでトグルすることによって達成され得る。
【００５９】
続いて、工程７５０において、フォトレジスト層を現像するため、基板１４０の電磁放射に露光されたまたは露光されなかったエリアに対して、現像プロセスが実施される。一実施形態においては、工程７４０の後、基板１４０は、図６に示す現像チャンバ６４０といった現像チャンバに移送される。処理システム６００を使用する実施形態においては、基板１４０は処理チャンバ１００から、移送チャンバ６０５を経由して現像チャンバ６４０へと移送され得る。現像チャンバ６４０は、１または複数の電源及び／またはアクチュエータ１９０及び磁石１９６に連結された電極アセンブリ１１６もまた含み得る。コーティングチャンバ６２０に関連して記載されるように、基板１４０は、現像チャンバ６４０内で、電極アセンブリ１１６及び磁石１９６に関連して配置され得る。
【００６０】
工程７５０において、フォトレジスト層１５０は、例えば、フォトレジスト層１５０を水酸化ナトリウム溶液、テトラメチルアンモニウムヒドロキシド水溶液、キシレン、またはストダード溶剤といった現像液に曝すことによって、現像され得る。基板１４０は、例えば、水または酢酸ｎ−ブチルによってリンスされ得る。工程７５０における現像プロセスの後は、潜在画像線１５５は、もはや潜在的でなくてよい。基板１４０上の線１５５は、従来の技法に比べると、ラインエッジラフネス／ライン幅ラフネスがより少ない。
【００６１】
続いて、工程７６０において、現像プロセス後の後処理を基板に行うため、基板１４０に対して後処理プロセスが実施され得る。後処理プロセスは、例えば、図６に示す後処理チャンバ６５０内で実施され得る。処理システム６００を使用する実施形態においては、基板１４０は、後処理のため、現像チャンバ６４０から、移送チャンバ６０５を経由して後処理チャンバ６５０へと移送され得る。例えば、リンスの後、基板１４０はハードベークされ検査され得る。検査の後、基板１４０にはエッチングプロセスが実施され得る。パターンを層１４５に転写するため、エッチングプロセスでは、線１５５といった、フォトレジスト層１５０の特性が使用される。
【００６２】
工程７１０でフォトレジスト層を基板に塗布するプロセスを実施している間、工程７２０で基板を加熱している間、工程７３０で基板を電磁波に露光している間、工程７４０で基板を加熱している間、工程７５０で基板を現像している間、及び工程７６０で基板を後処理している間、工程７０１で示したように電場を形成し、光酸発生剤によって生成された荷電種２５５を、ｘ−ｙ平面に平行かつ潜在画像線１５５の方向、ｘ−ｙ平面に平行かつ潜在画像線１５５に垂直な方向、異なる方向、またはそれらの組み合わせ、といった所望の方向にガイドするため、電圧が印加され得る。電極アセンブリ１１６と基板１４０との間に規定される可能性がある空隙を回避するため、この両者の間に配置された中間媒体４０２、ゲル／流動性有機物液滴４１０、または固体媒体５０４と共に、電場を形成するためにそれらに印加された電圧は、次いで、望まない電圧の低下または喪失なしに、所望のレベルで維持される。
【００６３】
上記の各実施形態は、以下を含む多数の利点を有する。例えば、本明細書で開示される実施形態は、ラインエッジラフネス／ライン幅ラフネスの低減のために電極アセンブリと基板上に配置されたフォトレジスト層の間に電場をかけている間の、電圧の低下／喪失を削減または除去し得る。電圧の低下／喪失の削減または除去は、電極アセンブリ１１６と基板１４０との間に規定される可能性がある空隙を回避するため、この両者の間に配置された中間媒体４０２、ゲル／流動性有機物液滴４１０、または固体媒体５０４を利用することによって、獲得され得る。上記の利点は例示的であり、限定的ではない。全ての実施形態が、全ての利点を有する必要はない。
【００６４】
以上の説明は本開示の実施形態を対象としているが、本開示の他の及びさらなる実施形態は、本開示の基本的な範囲を逸脱することなく考案され得、本開示の範囲は、添付の実用新案登録請求の範囲によって定められる。
【符号の説明】
【００６５】
１００  処理チャンバ
１０２  チャンバ壁
１０４  供給源
１０５  供給導管
１０６  側壁
１１０  リッドアセンブリ
１１２  処理容積
１１４  ポンピングポート
１１６  電極アセンブリ
１１８  電極アセンブリ
１２４  本体
１２６  第２の表面
１３２  組み込み型ヒータ
１３４  第１の表面
１３８  基板支持体アセンブリ
１４０  基板
１４２  ステム
１４５  層
１４６  ベローズ
１５０  フォトレジスト層
１５４  閉じ込めリング
１５５  潜在画像線
１６０  遠隔プラズマ源
１７０  電源
１７１  ノズル
１７２  中間媒体源
１７３  中間媒体分注器
１７４  電源
１７６  電源
１８０  入り口
１９０  アクチュエータ
１９６  磁石
２１０  第１の端子
２１１  第２の端子
２２０  アンテナ
２２１  アンテナ
２２５  終端部
２３０  支持構造物
２５５  荷電種
２５８  第１の電極
２６０  第２の電極
２７０  矢印
３２６  第２の表面
３２８  外側表面
３３４  第１の表面
３４８  外側表面
４０２  中間媒体
４０４  インターフェース
４０６  下表面
４０７  無視し得る距離
４１０  流動性有機物液滴
４１２  インターフェース
５０２  閉じ込めリング
５０４  固体媒体
６００  代表的一処理システム
６００  処理システム
６０５  チャンバ
６１０  負荷ポート
６１５  チャンバ
６２０  コーティングチャンバ
６３０  露光チャンバ
６４０  現像チャンバ
６５０  後処理チャンバ
７００  方法
７００  代表的方法
７０１  工程
７１０  工程
７２０  工程
７３０  工程
７４０  工程
７５０  工程
７６０  工程
【図１】
0003205856.tif 000003
【図２】
0003205856.tif 000004
【図３】
0003205856.tif 000005
【図４Ａ】
0003205856.tif 000006
【図４Ｂ】
0003205856.tif 000007
【図５Ａ】
0003205856.tif 000008
【図５Ｂ】
0003205856.tif 000009
【図６】
0003205856.tif 000010
【図７】
0003205856.tif 000011